【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
少なくとも１種の溶媒と；ホスファゼン化合物を含むイオン性液体と；を含む電解質溶液であって、
該ホスファゼン化合物が、複数のリン・窒素ユニットと、該複数のリン・窒素ユニットの各リン原子に結合した少なくとも１つのペンダント基と、を含むが、リン・窒素ユニットのリン原子に直接結合したハロゲン原子は含まず、
該少なくとも１つのペンダント基のうちの１つのペンダント基が、正電荷を帯びたペンダント基を含むか；該複数のリン・窒素ユニットのうちの１つの窒素原子が正電荷を帯びているか；あるいは、該複数のリン・窒素ユニットのうちの１つのリン原子が正電荷を帯びている；上記電解質溶液。
【請求項２】
正電荷を帯びたペンダント基が、炭化水素基に結合した正電荷を帯びた基を含み、該炭化水素基が、酸素原子、イオウ原子、およびリン原子からなる群から選ばれるヘテロ原子に結合しており、該ヘテロ原子がリン・窒素ユニットのリン原子に結合している、請求項１に記載の電解質溶液。
【請求項３】
正電荷を帯びた基が、アリールアミン、脂肪族アミン、第一アミン、第二アミン、または第三アミンを含む、請求項２に記載の電解質溶液。
【請求項４】
正電荷を帯びたペンダント基が、ジメチルアミノプロパノキシ基または４−ピリジンプロパノキシ基を含む、請求項１〜３のいずれか一項に記載の電解質溶液。
【請求項５】
ホスファゼン化合物が、化学構造：
【化１】
2014531731.tif 000001
〔式中、Ｒ１−Ｒ３、Ｒ５、およびＲ６のそれぞれは、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれるペンダント基であり；Ｒ４は、第一脂肪族アミン、第二脂肪族アミン、第三脂肪族アミン、またはアリールアミンであり；そしてＸは、テトラフルオロボレート、ヘキサフルオロホスフェート、ビス（オキサレート）ボレート、ヘキサフルオロアルセネート、ヘキサフルオロアンチモネート、テトラクロロアルミネート、ハイドロジェンサルフェート、パークロレート、メシレート、クロライド、ブロマイド、ヨーダイド、アルキルハライド、第ＶＡ族元素のパーハロゲン化アルキルハライド、トリフルオロメタンスルホニルイミド、トリフルオロメタンスルホネート、およびトリフルオロアセテートからなる群から選ばれるアニオンである〕
を含む、請求項１〜４のいずれか一項に記載の電解質溶液。
【請求項６】
Ｒ１−Ｒ３、Ｒ５、およびＲ６の少なくとも１つがハロゲン基を含まない、請求項５に記載の電解質溶液。
【請求項７】
ホスファゼン化合物が
【化２】
2014531731.tif 000002
またはこれらの組み合わせを含む、請求項１〜６のいずれか一項に記載の電解質溶液。
【請求項８】
少なくとも１つのペンダント基が、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれる、請求項１〜７のいずれか一項に記載の電解質溶液。
【請求項９】
ホスファゼン化合物が、化学構造：
【化３】
2014531731.tif 000003
〔式中、Ｒ１−Ｒ７は、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれるペンダント基であり；そしてＸは、テトラフルオロボレート、ヘキサフルオロホスフェート、ビス（オキサレート）ボレート、ヘキサフルオロアルセネート、ヘキサフルオロアンチモネート、テトラクロロアルミネート、ハイドロジェンサルフェート、パークロレート、メシレート、クロライド、ブロマイド、ヨーダイド、アルキルハライド、第ＶＡ族元素のパーハロゲン化アルキルハライド、トリフルオロメタンスルホニルイミド、トリフルオロメタンスルホネート、およびトリフルオロアセテートからなる群から選ばれるアニオンである〕
を含む、請求項１〜８のいずれか一項に記載の電解質溶液。
【請求項１０】
少なくとも１つのペンダント基が、リン・窒素ユニットのリン原子に結合した単一のペンダント基を含む、請求項１〜９のいずれか一項に記載の電解質溶液。
【請求項１１】
電解質溶液が約１重量％〜約４０重量％のイオン性液体を含む、請求項１〜１０のいずれか一項に記載の電解質溶液。
【請求項１２】
電解質溶液が約１重量％〜約１０重量％のイオン性液体を含む、請求項１〜１１のいずれか一項に記載の電解質溶液。
【請求項１３】
電解質溶液が約４０重量％超〜約９９重量％のイオン性液体を含む、請求項１〜１０のいずれか一項に記載の電解質溶液。
【請求項１４】
少なくとも１種の溶媒が、エチレンカーボネートとエチルメチルカーボネートの少なくとも一方を含む、請求項１〜１３のいずれか一項に記載の電解質溶液。
【請求項１５】
少なくとも１種の溶媒が、有機カーボネート、エステル、エーテル、およびシロキサンの少なくとも１種を含む、請求項１〜１４のいずれか一項に記載の電解質溶液。
【請求項１６】
イオン性液体の粘度が２０℃にて約２００ｃＰ以下である、請求項１〜１５のいずれか一項に記載の電解質溶液。
【請求項１７】
少なくとも１種のリチウム塩をさらに含む、請求項１〜１６のいずれか一項に記載の電解質溶液。
【請求項１８】
正極、負極、および電解質溶液を含むエネルギー貯蔵装置であって、
該電解質溶液が、少なくとも１種の溶媒；少なくとも１種のリチウム塩；および複数のリン・窒素ユニットを含むイオン性ホスファゼン化合物；を含み、
該イオン性ホスファゼン化合物が、複数のリン・窒素ユニットのリン原子の少なくとも１つに結合した正電荷を帯びたペンダント基；複数のリン・窒素ユニットの１つ上の正電荷を帯びた窒素原子；または複数のリン・窒素ユニットの１つ上の正電荷を帯びたリン原子；を含むが、該イオン性ホスファゼン化合物は、リン・窒素ユニットのリン原子に直接結合したハロゲン原子を含まない、上記エネルギー貯蔵装置。
【請求項１９】
正極と負極との間にセパレータをさらに含む、請求項１８に記載のエネルギー貯蔵装置。
【請求項２０】
複数のリン・窒素ユニットと、該複数のリン・窒素ユニットの各リン原子に結合した少なくとも１つのペンダント基とを含むホスファゼン化合物、を含むイオン性液体であって、
ホスファゼン化合物は、リン・窒素ユニットのリン原子に直接結合したハロゲン原子を含んでおらず、
該少なくとも１つのペンダント基のうちの１つのペンダント基が、正電荷を帯びたペンダント基を含むか；該複数のリン・窒素ユニットのうちの１つの窒素原子が正電荷を帯びているか；あるいは、該複数のリン・窒素ユニットのうちの１つのリン原子が正電荷を帯びている；上記イオン性液体。
【請求項２１】
正電荷を帯びたペンダント基が、炭化水素基に結合した正電荷を帯びた基を含み、該炭化水素基が、酸素原子、イオウ原子、およびリン原子からなる群から選ばれるヘテロ原子に結合しており、該ヘテロ原子がリン・窒素ユニットのリン原子に結合している、請求項２０に記載のイオン性液体。
【請求項２２】
正電荷を帯びた基が、アリールアミン、脂肪族アミン、第一アミン、第二アミン、または第三アミンを含む、請求項２１に記載のイオン性液体。
【請求項２３】
正電荷を帯びたペンダント基が、ジメチルアミノプロパノキシ基または４−ピリジンプロパノキシ基を含む、請求項２０〜２２のいずれか一項に記載のイオン性液体。
【請求項２４】
ホスファゼン化合物が、化学構造：
【化４】
2014531731.tif 000004
〔式中、Ｒ１−Ｒ３、Ｒ５、およびＲ６のそれぞれは、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれるペンダント基であり；Ｒ４は、第一脂肪族アミン、第二脂肪族アミン、第三脂肪族アミン、またはアリールアミンであり；そしてＸは、テトラフルオロボレート、ヘキサフルオロホスフェート、ビス（オキサレート）ボレート、ヘキサフルオロアルセネート、ヘキサフルオロアンチモネート、テトラクロロアルミネート、ハイドロジェンサルフェート、パークロレート、メシレート、クロライド、ブロマイド、ヨーダイド、アルキルハライド、第ＶＡ族元素のパーハロゲン化アルキルハライド、トリフルオロメタンスルホニルイミド、トリフルオロメタンスルホネート、およびトリフルオロアセテートからなる群から選ばれるアニオンである〕
を含む、請求項２０〜２３のいずれか一項に記載のイオン性液体。
【請求項２５】
Ｒ１−Ｒ３、Ｒ５、およびＲ６の少なくとも１つがハロゲン基を含まない、請求項２４に記載のイオン性液体。
【請求項２６】
ホスファゼン化合物が
【化５】
2014531731.tif 000005
またはこれらの組み合わせを含む、請求項２０〜２５のいずれか一項に記載のイオン性液体。
【請求項２７】
少なくとも１つのペンダント基が、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれる、請求項２０〜２６のいずれか一項に記載のイオン性液体。
【請求項２８】
ホスファゼン化合物が、化学構造：
【化６】
2014531731.tif 000006
〔式中、Ｒ１−Ｒ７は、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれるペンダント基であり；そしてＸは、テトラフルオロボレート、ヘキサフルオロホスフェート、ビス（オキサレート）ボレート、ヘキサフルオロアルセネート、ヘキサフルオロアンチモネート、テトラクロロアルミネート、ハイドロジェンサルフェート、パークロレート、メシレート、クロライド、ブロマイド、ヨーダイド、アルキルハライド、第ＶＡ族元素のパーハロゲン化アルキルハライド、トリフルオロメタンスルホニルイミド、トリフルオロメタンスルホネート、およびトリフルオロアセテートからなる群から選ばれるアニオンである〕
を含む、請求項２０〜２７のいずれか一項に記載のイオン性液体。
【請求項２９】
少なくとも１つのペンダント基が、リン・窒素ユニットのリン原子に結合した単一のペンダント基を含む、請求項２０〜２８のいずれか一項に記載のイオン性液体。
【手続補正２】
【補正対象書類名】明細書
【補正対象項目名】００６９
【補正方法】変更
【補正の内容】
【００６９】
特定の実施態様を図面に例として示し、詳細に説明してきたが、本発明は種々の変更形や代替形が可能である。しかしながら、本発明は、開示されている特定の形態に限定されない。むしろ、本発明は、添付のクレームとそれらの法的等価物によって定義される本発明の範囲内に含まれる全ての変更形、組み合わせ形、等価形、および代替形を包含する。
（１）  複数のリン・窒素ユニットと、該複数のリン・窒素ユニットの各リン原子に結合した少なくとも１つのペンダント基とを含むホスファゼン化合物と、を含むイオン性液体であって、該少なくとも１つのペンダント基のうちの１つのペンダント基が、正電荷を帯びたペンダント基を含むか；該複数のリン・窒素ユニットのうちの１つの窒素原子が正電荷を帯びているか；あるいは、該複数のリン・窒素ユニットのうちの１つのリン原子が正電荷を帯びている；上記イオン性液体。
（２）  正電荷を帯びたペンダント基が、炭化水素基に結合した正電荷を帯びた基を含み、該炭化水素基が、酸素原子、イオウ原子、およびリン原子からなる群から選ばれるヘテロ原子に結合しており、該ヘテロ原子がリン・窒素ユニットのリン原子に結合している、（１）に記載のイオン性液体。
（３）  正電荷を帯びた基が、アリールアミン、脂肪族アミン、第一アミン、第二アミン、または第三アミンを含む、（２）に記載のイオン性液体。
（４）  正電荷を帯びたペンダント基が、ジメチルアミノプロパノキシ基または４−ピリジンプロパノキシ基を含む、（１）に記載のイオン性液体。
（５）  ホスファゼン化合物が、化学構造：
【化１】
2014531731.tif 000007
〔式中、Ｒ１−Ｒ３、Ｒ５、およびＲ６のそれぞれは、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれるペンダント基であり；Ｒ４は、第一脂肪族アミン、第二脂肪族アミン、第三脂肪族アミン、またはアリールアミンであり；そしてＸは、テトラフルオロボレート、ヘキサフルオロホスフェート、ビス（オキサレート）ボレート、ヘキサフルオロアルセネート、ヘキサフルオロアンチモネート、テトラクロロアルミネート、ハイドロジェンサルフェート、パークロレート、メシレート、クロライド、ブロマイド、ヨーダイド、アルキルハライド、第ＶＡ族元素のパーハロゲン化アルキルハライド、トリフルオロメタンスルホニルイミド、トリフルオロメタンスルホネート、およびトリフルオロアセテートからなる群から選ばれるアニオンである〕を含む、（１）に記載のイオン性液体。
（６）  Ｒ１−Ｒ３、Ｒ５、およびＲ６の少なくとも１つがハロゲン基を含まない、（５）に記載のイオン性液体。
（７）  ホスファゼン化合物が
【化２】
2014531731.tif 000008
またはこれらの組み合わせを含む、（１）に記載のイオン性液体。
（８）  少なくとも１つのペンダント基が、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれる、（１）に記載のイオン性液体。
（９）  ホスファゼン化合物が、化学構造：
【化３】
2014531731.tif 000009
〔式中、Ｒ１−Ｒ７は、水素、アシル基、アシルアミノ基、アシルオキシ基、アルキル基、アルケニル基、アルキニル基、アルコキシ基、アミノ基、アルキルアミノ基、アルキルアリールアミノ基、ジアルキルアミノ基、アルキルチオ基、アルカリールチオ基、アリール基、アリールアミノ基、ジアリールアミノ基、アリールオキシ基、アラルキル基、アルカリール基、アラルコキシ基、アルカリールオキシ基、アリールチオ基、アリールチオアシル基、アミノ酸基、カルバモイル基、カルボンアミド基、カルボキシル基、シアノ基、ホルミル基、グリコール基、ヘテロアルキル基、ヘテロアラルキル基、ヘテロアリール基、ヒドロキシル基、ニトロ基、オキシ（脂肪族炭化水素）基、オキシ（脂肪族炭化水素）ヒドロキシル基、オキシ（アルキル）ヒドロキシル基、オキシカルボニル基、オキシスルホニル基、パーフルオロアルキル基、ホスフェート基、サッカライド基、スルファモイル基、スルホンアミド基、スルホニルアミノ基、スルホニル基、スルホキシド基、チオ基、チオアルカリール基、チオアラルキル基、トリフルオロアルキル基、およびウレイド基からなる群から独立して選ばれるペンダント基であり；そしてＸは、テトラフルオロボレート、ヘキサフルオロホスフェート、ビス（オキサレート）ボレート、ヘキサフルオロアルセネート、ヘキサフルオロアンチモネート、テトラクロロアルミネート、ハイドロジェンサルフェート、パークロレート、メシレート、クロライド、ブロマイド、ヨーダイド、アルキルハライド、第ＶＡ族元素のパーハロゲン化アルキルハライド、トリフルオロメタンスルホニルイミド、トリフルオロメタンスルホネート、およびトリフルオロアセテートからなる群から選ばれるアニオンである〕を含む、（１）に記載のイオン性液体。
（１０）  少なくとも１つのペンダント基が、リン・窒素ユニットのリン原子に結合した単一のペンダント基を含む、（１）に記載のイオン性液体。
（１１）  少なくとも１種の溶媒；および（１）〜（１０）のいずれか一項に記載のイオン性液体；を含む電解質溶液。
（１２）  電解質溶液が約１重量％〜約４０重量％のイオン性液体を含む、（１１）に記載の電解質溶液。
（１３）  電解質溶液が約１重量％〜約１０重量％のイオン性液体を含む、（１１）に記載の電解質溶液。
（１４）  電解質溶液が約４０重量％超〜約９９重量％のイオン性液体を含む、（１１）に記載の電解質溶液。
（１５）  少なくとも１種の溶媒が、エチレンカーボネートとエチルメチルカーボネートの少なくとも一方を含む、（１１）に記載の電解質溶液。
（１６）  少なくとも１種の溶媒が、有機カーボネート、エステル、エーテル、およびシロキサンの少なくとも１種を含む、（１１）に記載の電解質溶液。
（１７）  イオン性液体の粘度が２０℃にて約２００ｃＰ以下である、（１１）に記載の電解質溶液。
（１８）  少なくとも１種のリチウム塩をさらに含む、（１１）に記載の電解質溶液。
（１９）  正極、負極、および電解質溶液を含むエネルギー貯蔵装置であって、該電解質溶液が、少なくとも１種の溶媒；少なくとも１種のリチウム塩；および複数のリン・窒素ユニットを含むイオン性ホスファゼン化合物；を含み、該イオン性ホスファゼン化合物が、複数のリン・窒素ユニットのリン原子の少なくとも１つに結合した正電荷を帯びたペンダント基；複数のリン・窒素ユニットの１つ上の正電荷を帯びた窒素原子；または複数のリン・窒素ユニットの１つ上の正電荷を帯びたリン原子；を含む、上記エネルギー貯蔵装置。
（２０）  正極と負極との間にセパレータをさらに含む、（１９）に記載のエネルギー貯蔵装置。